(57)【要約】  送風機と連携して動作する空気調和機は、記憶部と、送風機の動作を制御する制御部とを備え、制御部は、送風機に対して一意に付与された識別子と、送風機により実行される動作内容と、動作内容に対応する処理を送風機に実行させる制御情報とを関連付けて、送風機情報として記憶部に格納する。空気調和機は、互いに異なる複数の送風機について送風機ごとに送風機情報を記憶部に格納し、識別子の選択を受け付けると、受け付けられた当該識別子に関連付けられている送風機情報を用いて、送風機の動作を制御する。
2016147399.tif 000002
【特許請求の範囲】
【請求項１】
送風機と連携して動作する空気調和機であって、
記憶部と、
前記送風機の動作を制御する制御部と
を備え、
前記制御部は、前記送風機に対して一意に付与された識別子と、前記送風機により実行される動作内容と、前記動作内容に対応する処理を前記送風機に実行させる制御情報とを関連付けて、送風機情報として前記記憶部に格納することを特徴とする空気調和機。
【請求項２】
前記制御部は、
互いに異なる複数の送風機について送風機ごとに前記送風機情報を前記記憶部に格納し、
前記識別子の選択を受け付けると、受け付けられた当該識別子に関連付けられている前記送風機情報を用いて、前記送風機の動作を制御することを特徴とする請求項１に記載の空気調和機。
【請求項３】
前記記憶部は、前記送風機情報に含まれる全ての前記送風機の前記動作内容をそれぞれ列挙した一覧情報をさらに記憶することを特徴とする請求項１又は２に記載の空気調和機。
【請求項４】
前記制御部は、前記空気調和機を操作するための第１の装置を介して、前記送風機を操作するための第２の装置から送信された前記制御情報を取得し、取得した当該制御情報を、前記第１の装置から取得する前記識別子及び前記動作内容に関連付けて、前記送風機情報として前記記憶部に格納することを特徴とする請求項１から３のいずれか１つに記載の空気調和機。
【請求項５】
前記制御部は、
前記空気調和機及び前記送風機の運転中に、前記空気調和機及び前記送風機の運転状態に関する情報の登録要求を受け付けると、前記登録要求を受け付けた時の前記情報を運転パターンとして前記記憶部に格納し、
前記運転パターンの選択を受け付けると、選択された前記運転パターンに基づいて、前記空気調和機及び前記送風機の動作を制御することを特徴とする請求項１に記載の空気調和機。
【請求項６】
前記制御部は、予め設定される前記運転パターンの実行日時に合わせて、前記運転パターンに基づく前記空気調和機及び前記送風機の動作の制御を実行することを特徴とする請求項５に記載の空気調和機。
【発明の詳細な説明】
【技術分野】
【０００１】
本出願は、送風機と連携した運転を行う空気調和機に関する。
【背景技術】
【０００２】
従来、快適な住環境の提供を目的として、空気調和機と専用の送風機とを組み合せて運転する方法が提案されている（例えば、特許文献１参照）。空気調和機と専用の送風機とを組み合せて運転する方法には、快適な住環境の提供を目的として、室温が均一化されるように空調を行う方法も提案されている（例えば、特許文献２参照）。
【先行技術文献】
【特許文献】
【０００３】
【特許文献１】特開２０１２−０３２０３８号公報
【特許文献２】特開２０１２−０６３１１３号公報
【発明の概要】
【発明が解決しようとする課題】
【０００４】
空気調和機と専用の送風機とを組み合せて運転する従来の技術では、専用の送風機が必要となるので、コスト負担が大きいという問題がある。【０００５】
本発明は上記に鑑みてなされたものであって、送風機と連携して空調を行う場合に、できるだけコスト負担を軽減することが可能な空気調和機を提供することを目的とする。
【課題を解決するための手段】
【０００６】
上述した課題を解決し、目的を達成するために、本発明は、送風機と連携して動作する空気調和機であって、記憶部と、前記送風機の動作を制御する制御部とを備え、前記制御部は、前記送風機に対して一意に付与された識別子と、前記送風機により実行される動作内容と、前記動作内容に対応する処理を前記送風機に実行させる制御情報とを関連付けて、送風機情報として前記記憶部に格納することを特徴とする。
【発明の効果】
【０００７】
本発明によれば、送風機と連携して空調を行う場合に、できるだけコスト負担を軽減することができる。
【図面の簡単な説明】
【０００８】
【図１】実施の形態１に係る空気調和機を含むシステム構成例を示す図
【図２】実施の形態１に係る空気調和機の機能構成例を示すブロック図
【図３】実施の形態１に係る送風機操作用追加コードの例を示す図
【図４】実施の形態１に係る動作内容決定時参照データの例を示す図
【図５】実施の形態１に係る空調機用遠隔操作装置の機能構成例を示すブロック図
【図６】実施の形態１に係る送風機用遠隔操作装置の機能構成例を示すブロック図
【図７】実施の形態１に係る制御コードデータの例を示す図
【図８】実施の形態１に係る空気調和機の送風機登録処理の流れを示すフローチャート
【図９】実施の形態１に係る空調機用遠隔操作装置による処理の流れを示すフローチャート
【図１０】実施の形態１に係る送風機用遠隔操作装置による処理の流れを示すフローチャート
【図１１】実施の形態１に係る空気調和機による送風機決定処理の流れを示すフローチャート
【図１２】実施の形態１に係る空気調和機による送風機操作処理の流れを示すフローチャート
【図１３】実施の形態２に係る空気調和機の機能構成の例を示すブロック図
【図１４】実施の形態２に係る空気調和機による送風機決定処理の流れを示すフローチャート
【図１５】実施の形態２に係る空気調和機による送風機操作処理の流れを示すフローチャート
【図１６】実施の形態３に係る空気調和機の機能構成例を示すブロック図
【図１７】実施の形態３に係る動作内容リストデータの例を示す図
【図１８】実施の形態４に係る空調機用遠隔操作装置の機能構成例を示すブロック図
【図１９】実施の形態４に係る空調機用遠隔操作装置による送風機登録処理の流れを示すフローチャート
【図２０】実施の形態４に係る空調機用遠隔操作装置による転送処理の流れを示すフローチャート
【図２１】実施の形態４に係る空気調和機による追加コード登録処理の流れを示すフローチャート
【図２２】実施の形態５に係る空気調和機の機能構成例を示すブロック図
【図２３】実施の形態５に係る空調機用遠隔操作装置の機能構成例を示すブロック図
【図２４】実施の形態５に係る空調機用遠隔操作装置による運転状態登録コマンド送信処理の流れを示すフローチャート
【図２５】実施の形態５に係る空気調和機による運転パターン登録処理の流れを示すフローチャート
【図２６】実施の形態５に係る運転パターンによる運転実行処理の流れを示す図
【図２７】実施の形態６に係る空気調和機の機能構成例を示すブロック図
【図２８】実施の形態６に係る空気調和機による処理の流れを示すフローチャート
【発明を実施するための形態】
【０００９】
以下、本発明の実施の形態に係る空気調和機を図面に基づいて詳細に説明する。なお、以下に説明する実施の形態により発明が限定されるものではない。
【００１０】
実施の形態１．
図１は、実施の形態１に係る空気調和機を含むシステム構成例を示す図である。図１に示すように、実施の形態１に係る空気調和機１００を含むシステムは、送風機３００と連携して空気調和を実行する。空気調和機１００は壁面上部に設置され、送風機３００は床面に配置される。実施の形態１に係る空気調和機１００を含むシステムは、空気調和機１００を遠隔操作するための空調機用遠隔操作装置２００、及び送風機３００を遠隔操作するための送風機用遠隔操作装置４００をさらに含んで構成される。なお、図１では、送風機３００（以下、適宜「送風機」と表記する）が１台配置される例を示しているが、実施の形態１に係る空気調和機１００を含むシステムの一構成を例示するものに過ぎず、複数の送風機が配置されてもよい。空気調和機１００は、空気調和機の一例である。送風機３００は、送風機の一例である。
【００１１】
図２は、実施の形態１に係る空気調和機の機能構成例を示すブロック図である。なお、図２には、実施の形態１に係る空気調和機１００の機能構成を説明する上で必要となる機能のみを示している。図２に示すように、実施の形態１に係る空気調和機１００は、各種情報を送信する送信部１１０と、各種情報を受信する受信部１２０と、各種入力を受け付ける入力部１３０と、各種情報を表示する表示部１４０と、制御部１６０において実行される各種処理に用いられるプログラム及びデータを記憶する記憶部１５０と、空気調和機１００の動作を制御する制御部１６０とを備える。
【００１２】
記憶部１５０は、運転制御プログラム１５０ａと、送風機登録処理プログラム１５０ｂと、送風機操作制御プログラム１５０ｃと、動作内容決定時参照データ１５０ｄと、送風機操作用追加コード１５０ｅとを記憶する。記憶部１５０は、記憶部の一例である。
【００１３】
運転制御プログラム１５０ａは、空気調和機１００の運転に関わる動作を制御するための機能を提供する。
【００１４】
送風機登録処理プログラム１５０ｂは、送風機に対して一意に付与された型名と、送風機により実行される動作内容と、動作内容に対応する処理を送風機に実行させる制御コードとを関連付けて、送風機操作用追加コード１５０ｅとして記憶部１５０に格納するための機能を提供する。型名は識別子の一例であり、制御コードは制御情報の一例であり、送風機操作用追加コード１５０ｅは送風機情報の一例である。図３は、実施の形態１に係る送風機操作用追加コードの例を示す図である。図３に示すように、送風機操作用追加コード１５０ｅは、送風機に一意に付与される型名に対して、送風機の動作内容および動作内容に対応する制御コードを関連付けて構成される。
【００１５】
送風機操作制御プログラム１５０ｃは、空気調和機１００から送風機３００を操作するための機能を提供する。すなわち、送風機操作制御プログラム１５０ｃは、送風機操作用追加コード１５０ｅに登録されている送風機の中から、連携する送風機を決定するための機能を提供する。また、送風機操作制御プログラム１５０ｃは、動作内容決定時参照データ１５０ｄに基づいて、空気調和機１００の運転モードに合った送風機の動作内容を決定し、決定した動作内容に対応する制御コードを送風機に送信するための機能を提供する。
【００１６】
動作内容決定時参照データ１５０ｄは、送風機の動作内容を決定する際に、送風機操作制御プログラム１５０ｃにより参照される。図４は、実施の形態１に係る動作内容決定時参照データの例を示す図である。図４に示すように、動作内容決定時参照データ１５０ｄは、空気調和機１００の運転状態を決定する運転モードごとに、送風機に実行させる動作内容を対応付けて構成される。
【００１７】
制御部１６０は、記憶部１５０に記憶されているプログラム及びデータを用いて、各種処理を実行する。すなわち、制御部１６０は、運転制御プログラム１５０ａを実行することにより、空気調和機１００の動作を制御する。また、制御部１６０は、送風機登録処理プログラム１５０ｂを実行することにより、送風機に対して一意に付与された型名と、送風機により実行される動作内容と、動作内容に対応する処理を送風機に実行させる制御コードとを関連付けて、送風機操作用追加コード１５０ｅとして記憶部１５０に格納する。また、制御部１６０は、送風機操作制御プログラム１５０ｃを実行することにより、連携する送風機を決定する。また、制御部１６０は、送風機操作制御プログラム１５０ｃを実行することにより、動作内容決定時参照データ１５０ｄを参照して、空気調和機１００の運転モードに合わせて送風機の動作内容を決定し、決定した動作内容に対応する制御コードを送風機に送信することにより送風機の動作を制御する。制御部１６０は、制御部の一例である。
【００１８】
図５は、実施の形態１に係る空調機用遠隔操作装置の機能構成例を示すブロック図である。なお、図５には、実施の形態１に係る空調機用遠隔操作装置２００の機能構成を説明する上で必要となる機能のみを示している。図５に示すように、空調機用遠隔操作装置２００は、各種情報を送信する送信部２１０と、各種情報を受信する受信部２２０と、各種入力を受け付ける入力部２３０と、送風機の登録処理を開始させるための登録モードボタン２３１と、空気調和機１００の操作を行うための操作ボタン群２３２と、各種情報を表示する表示部２４０と、制御部２６０において実行される各種処理に用いられるプログラム及びデータを記憶する記憶部２５０と、空気調和機１００の動作を制御する制御部２６０とを備える。
【００１９】
記憶部２５０は、空調機操作用プログラム２５０ａと、送風機登録処理用操作プログラム２５０ｂと、送風機動作内容データ２５０ｃとを記憶する。
【００２０】
空調機操作用プログラム２５０ａは、空気調和機１００の各種動作に対応する操作を行うための機能を提供する。送風機登録処理用操作プログラム２５０ｂは、送風機の登録処理に関する各種操作を実現するための機能を提供する。すなわち、送風機登録処理用操作プログラム２５０ｂは、登録モードボタン２３１の操作の検出に応じて、登録モード信号を空気調和機１００に送信するための機能を提供する。送風機登録処理用操作プログラム２５０ｂは、送風機の登録処理を行うための登録操作画面を表示し、登録操作画面上で登録する送風機の型名の入力を受け付けるための機能を提供する、送風機登録処理用操作プログラム２５０ｂは、送風機動作内容データ２５０ｃを用いて送風機の動作内容の一覧を表示し、選択された送風機の動作内容を空気調和機１００に送信するための機能を提供する。送風機動作内容データ２５０ｃは、予め登録される送風機の動作内容を示すデータである。
【００２１】
制御部２６０は、記憶部２５０に記憶されているプログラム及びデータを用いて、各種処理を実行する。すなわち、制御部２６０は、空調機操作用プログラム２５０ａを実行することにより、空気調和機１００に各種操作を実行させるための信号を送信する処理を実行する。また、制御部２６０は、送風機登録処理用操作プログラム２５０ｂを実行することにより、次の各処理を実行する。すなわち、制御部２６０は、登録モードボタン２３１の操作の検出に応じて、登録モード信号を空気調和機１００に送信する。また、制御部２６０は、送風機の登録処理を行うための登録操作画面を表示部２４０に表示し、登録操作画面上で登録する送風機の型名の入力を受け付ける。また、制御部２６０は、送風機動作内容データ２５０ｃを用いて送風機の動作内容の一覧を表示し、選択された送風機の動作内容を空気調和機１００に送信する。
【００２２】
図６は、実施の形態１に係る送風機用遠隔操作装置の機能構成例を示すブロック図である。なお、図６には、実施の形態１に係る送風機用遠隔操作装置４００の機能構成を説明する上で必要となる機能のみを示している。図６に示すように、送風機用遠隔操作装置４００は、各種情報を送信する送信部４１０と、各種情報を受信する受信部４２０と、各種入力を受け付ける入力部４３０と、制御コードの送信処理を開始させるための送信モードボタン４３１と、送風機３００の操作を行うための操作ボタン群４３２と、各種情報を表示する表示部４４０と、制御部４６０において実行される各種処理に用いられるプログラム及びデータを記憶する記憶部４５０と、送風機３００の動作を制御する制御部４６０とを備える。
【００２３】
記憶部４５０は、送風機操作用プログラム４５０ａと、制御コード送信プログラム４５０ｂと、制御コードデータ４５０ｃを記憶する。
【００２４】
送風機操作用プログラム４５０ａは、送風機３００の各種動作に対応する操作を行うための機能を提供する。制御コード送信プログラム４５０ｂは、送風機の動作内容に対応する制御コードを空気調和機１００に送信するための機能を提供する。図７は、実施の形態１に係る制御コードデータの例を示す図である。図７に示すように、制御コードデータ４５０ｃは、送風機３００により実行される動作内容と、当該動作内容に対応する制御コードと対応付けて構成される。
【００２５】
制御部４６０は、記憶部４５０に記憶されているプログラム及びデータを用いて、各種処理を実行する。すなわち、制御部４６０は、送風機操作用プログラム４５０ａを実行することにより、送風機３００に各種操作を実行させるための信号を送信する処理を実行する。また、制御部４６０は、制御コード送信プログラム４５０ｂを実行することにより、送風機３００により実行される各動作内容に対応する制御コードを空気調和機１００に送信する。
【００２６】
図８〜図１２を用いて、実施の形態１に係る各処理の流れを説明する。図８は、実施の形態１に係る空気調和機の送風機登録処理の流れを示すフローチャートである。図８に示す処理は、制御部１６０が、記憶部１５０に記憶されている送風機登録処理プログラム１５０ｂを実行することにより実現される。
【００２７】
図８に示すように、制御部１６０は、空調機用遠隔操作装置２００から登録モード信号を受信したかを判定する（ステップＳ１０１）。制御部１６０は、判定の結果、登録モード信号を受信していない場合には（ステップ１０１，Ｎｏ）、ステップＳ１０１の判定を繰り返す。
【００２８】
一方、制御部１６０は、判定の結果、登録モード信号を受信した場合には（ステップＳ１０１，Ｙｅｓ）、送風機の登録処理を実行する登録モードに移る（ステップＳ１０２）。続いて、制御部１６０は、登録する送風機の型名を受信したかを判定する（ステップＳ１０３）。
【００２９】
制御部１６０は、判定の結果、送風機の型名を受信した場合には（ステップＳ１０３，Ｙｅｓ）、続いて、登録する送風機の動作内容を受信したかを判定する（ステップＳ１０４）。
【００３０】
制御部１６０は、判定の結果、送風機の動作内容を受信した場合には（ステップＳ１０４，Ｙｅｓ）、送風機の制御コードを受信するための受信待機モードに移る（ステップＳ１０５）。
【００３１】
続いて、制御部１６０は、制御コードを受信したかを判定する（ステップＳ１０６）。制御部１６０は、判定の結果、制御コードを受信していない場合には（ステップＳ１０６，Ｎｏ）、ステップＳ１０６の判定を繰り返す。
【００３２】
一方、制御部１６０は、判定の結果、制御コードを受信した場合には（ステップＳ１０６，Ｙｅｓ）、受信待機モードを解除する（ステップＳ１０７）。続いて、制御部１６０は、ステップＳ１０３で受信した送風機の型名に対応付けて、ステップＳ１０４で受信した動作内容、及びステップＳ１０６で受信した制御コードを、送風機操作用追加コード１５０ｅとして記憶部１５０に登録する（ステップＳ１０８）。
【００３３】
続いて、制御部１６０は、再び、登録モード信号を受信したかを判定する（ステップＳ１０９）。制御部１６０は、判定の結果、登録モード信号を受信していない場合には（ステップＳ１０９，Ｎｏ）、上記ステップＳ１０４の処理手順に戻り、送風機の動作内容及び送風機の制御コードの登録を継続する。
【００３４】
一方、制御部１６０は、判定の結果、登録モード信号を受信した場合には（ステップＳ１０９，Ｙｅｓ）、登録モードを解除し（ステップＳ１１０）、空気調和機１００の通常の空調処理を行う通常モードに移行して（ステップＳ１１１）、図８に示す処理を終了する。
【００３５】
上記ステップＳ１０４において、制御部１６０は、判定の結果、送風機の動作内容を受信していない場合には（ステップＳ１０４，Ｎｏ）、上記ステップＳ１０９の処理手順に移る。続いて、制御部１６０は、ステップＳ１０９の判定の結果、登録モード信号を受信した場合には、上記ステップＳ１０３で受信した送風機の型名を消去して、上記ステップＳ１１１の処理手順に移る。
【００３６】
上記ステップＳ１０３において、制御部１６０は、判定の結果、送風機の型名を受信していない場合には（ステップＳ１０３，Ｎｏ）、上記ステップＳ１０９の処理手順に移る。
【００３７】
図９は、実施の形態１に係る空調機用遠隔操作装置による処理の流れを示すフローチャートである。図９に示す処理は、制御部２６０が、記憶部２５０に記憶されている送風機登録処理用操作プログラム２５０ｂを実行することにより実現される。
【００３８】
図９に示すように、制御部２６０は、登録モードボタン２３１の操作を受け付けたかを判定する（ステップＳ２０１）。制御部２６０は、判定の結果、登録モードボタン２３１の操作を受け付けていない場合には（ステップＳ２０１，Ｎｏ）、ステップＳ２０１の判定を繰り返す。
【００３９】
一方、制御部２６０は、判定の結果、登録モードボタン２３１の操作を受け付けた場合には（ステップＳ２０１，Ｙｅｓ）、送風機の登録処理に関する各種操作を実行するための登録操作モードに移る（ステップＳ２０２）。
【００４０】
続いて、制御部２６０は、登録モード信号を空気調和機１００に送信して（ステップＳ２０３）、登録操作画面を表示部２４０に表示する（ステップＳ２０４）。
【００４１】
続いて、制御部２６０は、送風機の型名の送信操作を受け付けたかを判定する（ステップＳ２０５）。制御部２６０は、判定の結果、送風機の型名の送信操作を受け付けた場合には（ステップＳ２０５，Ｙｅｓ）、入力された送風機の型名を空気調和機１００に送信する（ステップＳ２０６）。
【００４２】
続いて、制御部２６０は、送風機の動作内容の送信操作を受け付けたかを判定する（ステップＳ２０７）。制御部２６０は、判定の結果、送風機の動作内容の送信操作を受け付けていない場合には（ステップＳ２０７，Ｎｏ）、ステップＳ２０７の判定を繰り返す。
【００４３】
一方、制御部２６０は、判定の結果、送風機の動作内容の送信操作を受け付けた場合には（ステップＳ２０７，Ｙｅｓ）、送風機の動作内容を空気調和機１００に送信する（ステップＳ２０８）。
【００４４】
続いて、制御部２６０は、再び登録モードボタン２３１の操作を受け付けたかを判定する（ステップＳ２０９）。制御部２６０は、判定の結果、登録モードボタン２３１の操作を受け付けていない場合には（ステップＳ２０９，Ｎｏ）、上記ステップＳ２０５の処理手順に戻り、送風機の型名及び動作内容の送信処理を継続する。
【００４５】
一方、制御部２６０は、判定の結果、登録モードボタン２３１の操作を受け付けた場合には（ステップＳ２０９，Ｙｅｓ）、登録モード信号を空気調和機１００に送信する（ステップＳ２１０）。続いて、制御部２６０は、登録操作モードを解除し（ステップＳ２１１）、空気調和機１００の通常の空調動作に関する操作を行うための通常モードに移行して（ステップＳ２１２）、図９に示す処理を終了する。
【００４６】
上記ステップＳ２０５において、制御部２６０は、判定の結果、送風機の型名の送信操作を受け付けていない場合には（ステップＳ２０５，Ｎｏ）、上記ステップＳ２０９の処理手順に移る。
【００４７】
図１０は、実施の形態１に係る送風機用遠隔操作装置による処理の流れを示すフローチャートである。図１０に示す処理は、制御部４６０が、記憶部４５０に記憶されている制御コード送信プログラム４５０ｂを実行することにより実現される。
【００４８】
図１０に示すように、制御部４６０は、送信モードボタン４３１の操作を受け付けたかを判定する（ステップＳ３０１）。制御部４６０は、判定の結果、送信モードボタン４３１の操作を受け付けていない場合には（ステップＳ３０１，Ｎｏ）、ステップＳ３０１の判定を繰り返す。
【００４９】
一方、制御部４６０は、判定の結果、送信モードボタン４３１の操作を受け付けた場合には（ステップＳ３０１，Ｙｅｓ）、送風機の登録処理に関する各種操作を実行するための送信モードに移る（ステップＳ３０２）。
【００５０】
続いて、制御部４６０は、制御コードの送信操作を受け付けたかを判定する（ステップＳ３０３）。制御部４６０は、判定の結果、制御コードの送信操作を受け付けた場合には（ステップＳ３０３，Ｙｅｓ）、制御コードを空気調和機１００に送信する（ステップＳ３０４）。
【００５１】
続いて、制御部４６０は、再び送信モードボタン４３１の操作を受け付けたかを判定する（ステップＳ３０５）。制御部４６０は、判定の結果、送信モードボタン４３１の操作を受け付けていない場合には（ステップＳ３０５，Ｎｏ）、上記ステップＳ３０３の処理手順に戻り、制御コードの送信処理を継続する。
【００５２】
一方、制御部４６０は、判定の結果、送信モードボタン４３１の操作を受け付けた場合には（ステップＳ３０５，Ｙｅｓ）、送信モードを解除し（ステップ３０６）、送風機３００の通常の送風動作に関する操作を行うための通常モードに移行して（ステップＳ３０７）、図１０に示す処理を終了する。
【００５３】
上記ステップＳ３０３において、制御部４６０は、判定の結果、制御コードの送信操作を受け付けていない場合には（ステップＳ３０３，Ｎｏ）、上記ステップＳ３０５の処理手順に移る。
【００５４】
図１１は、実施の形態１に係る空気調和機による送風機決定処理の流れを示すフローチャートである。図１１に示す処理は、制御部１６０が、記憶部１５０に記憶されている送風機操作制御プログラム１５０ｃを実行することにより実現される。
【００５５】
図１１に示すように、制御部１６０は、送風機の型名の呼び出し操作を受け付けたかを判定する（ステップＳ４０１）。制御部１６０は、判定の結果、送風機の型名の呼び出し操作を受け付けていない場合には（ステップＳ４０１，Ｎｏ）、ステップＳ４０１の判定を繰り返す。
【００５６】
一方、制御部１６０は、判定の結果、送風機の型名の呼び出し操作を受け付けた場合には（ステップＳ４０１，Ｙｅｓ）、記憶部１５０に記憶されている送風機操作用追加コード１５０ｅに含まれる型名を全て抽出して、表示部１４０に表示する（ステップＳ４０２）。
【００５７】
続いて、制御部１６０は、送風機の型名の選択を受け付けたかを判定する（ステップＳ４０３）。制御部１６０は、判定の結果、送風機の型名の選択を受け付けていない場合には（ステップＳ４０３，Ｎｏ）、ステップＳ４０３の判定を繰り返す。
【００５８】
一方、制御部１６０は、判定の結果、送風機の型名の選択を受け付けた場合には（ステップＳ４０３，Ｙｅｓ）、連携する送風機を決定し（ステップＳ４０４）、図１１に示す処理を終了する。
【００５９】
上記ステップＳ４０２及びステップＳ４０３の処理手順において、制御部１６０は、送風機の型名を空調機用遠隔操作装置２００に送信し、表示部２４０に表示させることにより、空調機用遠隔操作装置２００を介して、送風機の型名の選択を受け付けるようにしてもよい。
【００６０】
図１２は、実施の形態１に係る空気調和機による送風機操作処理の流れを示すフローチャートである。図１２に示す処理は、制御部１６０が、記憶部１５０に記憶されている送風機操作制御プログラム１５０ｃを実行することにより実現される。
【００６１】
図１２に示すように、制御部１６０は、図１１に示す処理により連携対象として決定された送風機の操作を実行するかを判定する（ステップＳ５０１）。制御部１６０は、判定の結果、送風機の操作を実行する場合には（ステップＳ５０１，Ｙｅｓ）、記憶部１５０に記憶されている動作内容決定時参照データ１５０ｄに基づいて、送風機の動作内容を決定する（ステップＳ５０２）。
【００６２】
続いて、制御部１６０は、連携対象の送風機の型名に対応する送風機操作用追加コード１５０ｅの中から、ステップＳ５０２で決定した動作内容に対応する制御コードを取得する（ステップＳ５０３）。続いて、制御部１６０は、取得した制御コードを送風機に送信して（ステップＳ５０４）、図１２に示す処理を終了する。
【００６３】
上記ステップＳ５０１において、制御部１６０は、判定の結果、送風機の操作を実行しない場合には（ステップＳ５０１，Ｎｏ）、そのまま、図１２に示す処理を終了する。
【００６４】
上述してきたように、実施の形態１に係る空気調和機１００は、送風機の型名と、送風機の動作内容と、当該動作内容に対応する制御コードとを関連付けて、送風機操作用追加コード１５０ｅとして記憶部１５０に登録する。そして、空気調和機１００は、空気調和を実行する際に連携する送風機を、送風機操作用追加コード１５０ｅの中に登録された送風機の中から選択し、送風機に実行させたい動作内容に対応する制御コードを送風機操作用追加コード１５０ｅの中から取得して送風機に送信することにより、送風機の動作を制御する。このため、実施の形態１によれば、空気調和機に連携させる専用の送風機を用意することなく、既存の送風機を任意に連携させることができるので、送風機と連携して空調を行う際のコスト負担を軽減できる。また、既存の送風機を利用するので、専用の送風機を製作するためのエネルギー消費量及び資源を削減できる。
【００６５】
また、実施の形態１によれば、型名の選択のみで連携する送風機を選択して操作することができるので、送風機操作用追加コード１５０ｅに複数の送風機のデータを登録しておいても、所望の送風機との連携を容易に行うことができる。
【００６６】
実施の形態２．
図１３は、実施の形態２に係る空気調和機の機能構成の例を示すブロック図である。実施の形態１では、空気調和機１００が、送風機の型名と、送風機の動作内容と、当該動作内容に対応する制御コードとを関連付けて、送風機操作用追加コード１５０ｅとして記憶部１５０に登録する例を説明した。以下の実施の形態２では、空気調和機１００が、送風機操作用追加コード１５０ｅの代わりに、同様のデータ構成を有するプリセットコードを予め備える例を説明する。
【００６７】
すなわち、図１３に示すように、記憶部１５０は、送風機操作用プリセットコード１５０ｆを記憶する。送風機操作用プリセットコード１５０ｆは、送風機操作用追加コード１５０ｅと同様のデータ構成を有する。
【００６８】
送風機操作制御プログラム１５０ｃは、送風機操作用プリセットコード１５０ｆに含まれる型名の中から、連携する送風機を決定するための機能を提供する。
【００６９】
制御部１６０は、送風機操作制御プログラム１５０ｃを実行することにより、次の処理を実行する。すなわち、制御部１６０は、例えば、空調機用遠隔操作装置２００を介して、利用者から受け付けた送風機の型名が、送風機操作用プリセットコード１５０ｆに含まれる場合には、当該送風機を連携する送風機に決定する。これとは反対に、制御部１６０は、利用者から受け付けた送風機の型名が、送風機操作用プリセットコード１５０ｆに含まれない場合には、当該送風機が登録されていない旨のメッセージを空調機用遠隔操作装置２００に送信する。なお、利用者は、空調機用遠隔操作装置２００の受信メッセージを確認することにより、送風機の登録を行うかを判断できる。
【００７０】
図１４及び図１５を用いて、実施の形態２に係る空気調和機による処理の流れを説明する。図１４は、実施の形態２に係る空気調和機による送風機決定処理の流れを示すフローチャートである。図１４に示す処理は、制御部１６０が、記憶部１５０に記憶されている送風機操作制御プログラム１５０ｃを実行することにより実現される。
【００７１】
図１４に示すように、制御部１６０は、送風機の型名を受け付けたかを判定する（ステップＳ６０１）。制御部１６０は、判定の結果、送風機の型名を受け付けていない場合には（ステップＳ６０１，Ｎｏ）、ステップＳ６０１の判定を繰り返す。
【００７２】
一方、制御部１６０は、送風機の型名を受け付けた場合には（ステップＳ６０１，Ｙｅｓ）、ステップＳ６０１で受け付けた型名が送風機操作用プリセットコード１５０ｆに含まれるかを判定する（ステップＳ６０２）。
【００７３】
制御部１６０は、判定の結果、ステップＳ６０１で受け付けた型名が送風機操作用プリセットコード１５０ｆに含まれる場合には（ステップＳ６０２，Ｙｅｓ）、ステップＳ６０１で受け付けた送風機との連携を決定し（ステップＳ６０３）、図１４に示す処理を終了する。
【００７４】
一方、制御部１６０は、判定の結果、ステップＳ６０１で受け付けた型名が送風機操作用プリセットコード１５０ｆに含まれない場合には（ステップＳ６０２，Ｎｏ）、送風機が登録されていない旨のメッセージを空調機用遠隔操作装置２００に送信し（ステップＳ６０４）、図１４に示す処理を終了する。
【００７５】
上記ステップＳ６０１の処理手順において、空気調和機１００は、例えば、空調機用遠隔操作装置２００を介して、利用者により連携対象として入力された送風機の型名を受信してもよいし、空気調和機が備える操作ボタン群２３２の利用者による操作入力により受け付けてもよい。また、送風機操作用プリセットコード１５０ｆに含まれる全ての送風機の型名を表示させて、表示させた型名の中から連携する送風機を利用者に選択させる場合には、送風機の操作画面から送風機の登録処理を実行する操作ができるようにしてもよい。
【００７６】
図１５は、実施の形態２に係る空気調和機による送風機操作処理の流れを示すフローチャートである。図１５に示す処理は、制御部１６０が、記憶部１５０に記憶されている送風機操作制御プログラム１５０ｃを実行することにより実現される。
【００７７】
図１５に示すように、制御部１６０は、図１４に示す処理により連携対象として決定された送風機の操作を実行するかを判定する（ステップＳ７０１）。制御部１６０は、判定の結果、送風機の操作を実行する場合には（ステップＳ７０１，Ｙｅｓ）、記憶部１５０に記憶されている動作内容決定時参照データ１５０ｄに基づいて、送風機の動作内容を決定する（ステップＳ７０２）。
【００７８】
続いて、制御部１６０は、連携対象の送風機の型名に対応する送風機操作用プリセットコード１５０ｆの中から、ステップＳ７０２で決定した動作内容に対応する制御コードを取得する（ステップＳ７０３）。続いて、制御部１６０は、取得した制御コードを送風機に送信して（ステップＳ７０４）、図１５に示す処理を終了する。
【００７９】
上記ステップＳ７０１において、制御部１６０は、判定の結果、送風機の操作を実行しない場合には（ステップＳ７０１，Ｎｏ）、そのまま、図１５に示す処理を終了する。
【００８０】
実施の形態３．
図１６は、実施の形態３に係る空気調和機の機能構成例を示すブロック図である。図１６に示すように、記憶部１５０は、動作内容リストデータ１５０ｇを記憶する。動作内容リストデータ１５０ｇは、送風機操作用追加コード１５０ｅに含まれる全ての送風機の動作内容をそれぞれ列挙したデータである。図１７は、実施の形態３に係る動作内容リストデータの例を示す図である。図１７に示すように、動作内容リストデータ１５０ｇは、送風機ごとに、送風機に機能として備えられる動作内容の全てが一括して列挙されたリストとして構成される。
【００８１】
例えば、空気調和機１００が、空気調和の目的で室内攪拌を実施に際して、連携する送風機に最大風速での首振り動作を実行させると仮定する。この場合、空気調和機１００は、動作内容リストデータ１５０ｇを参照することにより、首振り機能を有している送風機を選択することが可能になる。あるいは、空気調和機１００は、動作内容リストデータ１５０ｇを参照した結果、首振り機能を有している送風機の登録がない場合には、動作内容リストデータ１５０ｇから首振り機能に類似した機能を有する送風機を選択することも可能となる。
【００８２】
実施の形態４．
実施の形態１では、空気調和機１００において送風機操作用追加コード１５０ｅの登録が行われる場合を説明したが、空調機用遠隔操作装置２００において送風機の制御コードを含む追加コードを一旦登録した後、空調機用遠隔操作装置２００から空気調和機１００に転送してもよい。以下の実施の形態４では、この場合の空調機用遠隔操作装置２００及び空気調和機１００について説明する。以下の実施の形態４において、空調機用遠隔操作装置２００は第１の装置の一例であり、送風機用遠隔操作装置４００は第２の装置の一例である。
【００８３】
図１８は、実施の形態４に係る空調機用遠隔操作装置の機能構成例を示すブロック図である。図１８に示すように、記憶部２５０は、送風機登録処理プログラム１５０ｂと同様の機能を有する送風機登録処理プログラム２５０ｄ、送風機操作用追加コード１５０ｅと同様のデータである送風機操作用追加コード２５０ｅを記憶する。
【００８４】
送風機登録処理プログラム２５０ｄは、送風機に対して一意に付与された型名と、送風機により実行される動作内容と、動作内容に対応する処理を送風機に実行させる制御コードとを関連付けて、送風機操作用追加コード２５０ｅとして記憶部２５０に格納するための機能を提供する。
【００８５】
また、送風機登録処理用操作プログラム２５０ｂは、送風機操作用追加コード２５０ｅを空気調和機１００に転送するための機能を提供する。
【００８６】
制御部２６０は、記憶モードボタン２３３の操作を受け付けると、送風機登録処理プログラム２５０ｄを実行し、送風機の登録処理を実行する。すなわち、制御部２６０は、送風機用遠隔操作装置４００から制御コードを受信すると、送風機に対して一意に付与された型名と、送風機により実行される動作内容と、制御コードとを関連付けた追加コードを、送風機操作用追加コード２５０ｅとして記憶部２５０に格納する。また、制御部２６０は、転送ボタン２３４の操作を受け付けると、送風機登録処理用操作プログラム２５０ｂを実行し、送風機操作用追加コード２５０ｅに含まれる追加コードを空気調和機１００に転送する。
【００８７】
空気調和機１００は、空調機用遠隔操作装置２００から受信した追加コードを登録する。すなわち、制御部１６０は、送風機登録処理プログラム１５０ｂを実行することにより、空調機用遠隔操作装置２００から受信した追加コードを、送風機操作用追加コード１５０ｅとして記憶部１５０に逐次格納する。
【００８８】
図１９は、実施の形態４に係る空調機用遠隔操作装置による送風機登録処理の流れを示すフローチャートである。図１９に示す処理は、制御部２６０が、送風機登録処理プログラム２５０ｄを実行することにより実現される。
【００８９】
図１９に示すように、制御部２６０は、記憶モードボタン２３３の操作を受け付けたかを判定する（ステップＳ８０１）。制御部２６０は、判定の結果、記憶モードボタン２３３の操作を受け付けていない場合には（ステップＳ８０１，Ｎｏ）、ステップＳ８０１の判定を繰り返す。
【００９０】
一方、制御部２６０は、判定の結果、記憶モードボタン２３３の操作を受け付けた場合には（ステップＳ８０１，Ｙｅｓ）、送風機の登録処理を実行するための記憶モードに移り（ステップＳ８０２）、記憶モード画面を表示部２４０に表示する（ステップＳ８０３）。
【００９１】
続いて、制御部２６０は、送風機の型名の入力を受け付けたかを判定する（ステップＳ８０４）。制御部２６０は、判定の結果、送風機の型名の入力を受け付けた場合には（ステップＳ８０４，Ｙｅｓ）、送風機の動作内容の選択を受け付けたかを判定する（ステップＳ８０５）。
【００９２】
制御部２６０は、判定の結果、送風機の動作内容の選択を受け付けた場合には（ステップＳ８０５，Ｙｅｓ）、送風機の制御コードを受信するための受信待機モードに移行する（ステップＳ８０６）。
【００９３】
続いて、制御部２６０は、制御コードを受信したかを判定する（ステップＳ８０７）。制御部２６０は、判定の結果、制御コードを受信していない場合には（ステップＳ８０７，Ｎｏ）、ステップＳ８０７の判定を繰り返す。
【００９４】
一方、制御部２６０は、判定の結果、制御コードを受信した場合には（ステップＳ８０７，Ｙｅｓ）、受信待機モードを解除する（ステップＳ８０８）。続いて、制御部２６０は、ステップＳ８０４で入力された送風機の型名に対応付けて、ステップＳ８０５で選択された動作内容、及びステップＳ８０７で受信した制御コードを、送風機操作用追加コード２５０ｅとして記憶部２５０に登録する（ステップＳ８０９）。
【００９５】
続いて、制御部２６０は、再び記憶モードボタン２３３の操作を受け付けたかを判定する（ステップＳ８１０）。制御部２６０は、判定の結果、記憶モードボタン２３３の操作を受け付けていない場合には（ステップＳ８１０，Ｎｏ）、上記ステップＳ８０５の処理手順に戻り、送風機の動作内容の選択受付、及び制御コードの受信処理を継続する。
【００９６】
一方、制御部２６０は、判定の結果、記憶モードボタン２３３の操作を受け付けた場合には（ステップＳ８１０，Ｙｅｓ）、記憶モードを解除する（ステップＳ８１１）。続いて、制御部２６０は、空気調和機１００の通常の空調動作に関する操作を行うための通常モードに移行して（ステップＳ８１２）、図１９に示す処理を終了する。
【００９７】
上記ステップＳ８０５において、制御部２６０は、判定の結果、送風機の動作内容の選択を受け付けていない場合には（ステップＳ８０５，Ｎｏ）、上記ステップＳ８１０の処理手順に移る。
【００９８】
上記ステップＳ８０４において、制御部２６０は、判定の結果、送風機の型名の入力を受け付けていない場合には（ステップＳ８０４，Ｎｏ）、上記ステップＳ８１０の処理手順に移る。
【００９９】
図２０は、実施の形態４に係る空調機用遠隔操作装置による転送処理の流れを示すフローチャートである。図２０に示す処理は、制御部２６０が、送風機登録処理用操作プログラム２５０ｂを実行することにより実現される。
【０１００】
図２０に示すように、制御部２６０は、登録モードボタン２３１の操作を受け付けたかを判定する（ステップＳ９０１）。制御部２６０は、判定の結果、登録モードボタン２３１の操作を受け付けていない場合には（ステップＳ９０１，Ｎｏ）、ステップＳ９０１の判定を繰り返す。
【０１０１】
一方、制御部２６０は、判定の結果、登録モードボタン２３１の操作を受け付けた場合には（ステップＳ９０１，Ｙｅｓ）、登録操作モードに移る（ステップＳ９０２）。
【０１０２】
続いて、制御部２６０は、登録モード信号を空気調和機１００に送信して（ステップＳ９０３）、登録操作画面を表示部２４０に表示する（ステップＳ９０４）。ステップＳ９０４で表示される登録操作画面には、送風機操作用追加コード２５０ｅの一覧が表示される。
【０１０３】
続いて、制御部２６０は、送風機操作用追加コード２５０ｅの中から、空気調和機１００に送信する追加コードの選択操作を受け付けたかを判定する（ステップＳ９０５）。制御部２６０は、判定の結果、追加コードの選択操作を受け付けた場合には（ステップＳ９０５，Ｙｅｓ）、転送モードボタン２３４の操作を受け付けたかを判定する（ステップＳ９０６）。
【０１０４】
制御部２６０は、判定の結果、転送モードボタン２３４の操作を受け付けた場合には（ステップＳ９０６，Ｙｅｓ）、ステップＳ９０５において選択された追加コードを空気調和機１００に送信する（ステップＳ９０７）。
【０１０５】
続いて、制御部２６０は、再び登録モードボタン２３１の操作を受け付けたかを判定する（ステップＳ９０８）。制御部２６０は、判定の結果、登録モードボタン２３１の操作を受け付けていない場合には（ステップＳ９０８，Ｎｏ）、上記ステップＳ９０５の処理手順に戻り、追加コードの選択及び送信の処理を継続する。
【０１０６】
一方、制御部２６０は、判定の結果、登録モードボタン２３１の操作を受け付けた場合には（ステップＳ９０８，Ｙｅｓ）、登録モード信号を空気調和機１００に送信する（ステップＳ９０９）。続いて、制御部２６０は、登録操作モードを解除し（ステップ９１０）、空気調和機１００の通常の空調動作に関する操作を行うための通常モードに移行して（ステップＳ９１１）、図２０に示す処理を終了する。
【０１０７】
上記ステップＳ９０６において、制御部２６０は、判定の結果、転送モードボタン２３４の操作を受け付けていない場合には（ステップＳ９０６，Ｎｏ）、上記ステップＳ９０８の処理手順に移る。
【０１０８】
上記ステップＳ９０５において、制御部２６０は、判定の結果、追加コードの選択操作を受け付けていない場合には（ステップＳ９０５，Ｎｏ）、上記ステップＳ９０８の処理手順に移る。
【０１０９】
図２１は、実施の形態４に係る空気調和機による追加コード登録処理の流れを示すフローチャートである。図２１に示す処理は、制御部１６０が、記憶部１５０に記憶されている送風機登録処理プログラム１５０ｂを実行することにより実現される。
【０１１０】
図２１に示すように、制御部１６０は、空調機用遠隔操作装置２００から登録モード信号を受信したかを判定する（ステップＳ１００１）。制御部１６０は、判定の結果、登録モード信号を受信していない場合には（ステップ１００１，Ｎｏ）、ステップＳ１００１の判定を繰り返す。
【０１１１】
一方、制御部１６０は、判定の結果、登録モード信号を受信した場合には（ステップＳ１００１，Ｙｅｓ）、登録モードに移る（ステップＳ１００２）。続いて、制御部１６０は、追加コードを受信したかを判定する（ステップＳ１００３）。
【０１１２】
制御部１６０は、判定の結果、追加コードを受信した場合には（ステップＳ１００３，Ｙｅｓ）、送風機操作用追加コード１５０ｅとして、ステップＳ１００３で受信した追加コードを登録する（ステップＳ１００４）。
【０１１３】
続いて、制御部１６０は、再び、登録モード信号を受信したかを判定する（ステップＳ１００５）。制御部１６０は、判定の結果、登録モード信号を受信していない場合には（ステップＳ１００５，Ｎｏ）、上記ステップＳ１００３の処理手順に戻り、追加コードの登録を継続する。
【０１１４】
一方、制御部１６０は、判定の結果、登録モード信号を受信した場合には（ステップＳ１００５，Ｙｅｓ）、登録モードを解除し（ステップＳ１００６）、通常モードに移行して（ステップＳ１００７）、図２１に示す処理を終了する。
【０１１５】
上記ステップＳ１００３において、制御部１６０は、判定の結果、追加コードを受信していない場合には（ステップＳ１００３，Ｎｏ）、上記ステップＳ１００５の処理手順に移る。
【０１１６】
実施の形態４によれば、空調機用遠隔操作装置２００において送風機の制御コードを含む追加コードを一旦登録した後、空調機用遠隔操作装置２００から空気調和機１００に転送するので、空気調和機１００から離れた場所からでも送風機操作用追加コード１５０ｅの登録を行うことができる。また、他の部屋の空気調和機で送風機を操作する場合でも、実施の形態１の手順により送風機操作用追加コードの登録処理を行うことなく、空調機用遠隔装置２００の記憶部２５０に記憶されている送風機操作用追加コード２５０ｅを転送することで登録し、操作することができる。
【０１１７】
実施の形態５．
空気調和機１００及び送風機３００の運転状態で利用者が快適と感じる運転状態を登録しておき、適宜呼び出して再現できるようにしてもよい。以下の実施の形態５では、この場合の空気調和機１００と空調機用遠隔操作装置２００について説明する。
【０１１８】
図２２は、実施の形態５に係る空気調和機の機能構成例を示すブロック図である。図２２に示すように、空気調和機１００は、温度及び湿度を含む室内環境に関する各種データを測定するセンサ群１７０を備える。
【０１１９】
記憶部１５０は、運転パターン登録プログラム１５０ｈ及び運転パターンデータ１５０ｉを記憶する。
【０１２０】
運転パターン登録プログラム１５０ｈは、空気調和機１００及び送風機３００の運転中に、空気調和機１００及び送風機３００の運転状態に関する情報の登録要求を受け付けると、登録要求を受け付けた時の空気調和機１００及び送風機３００の運転状態に関する情報を運転パターンデータ１５０ｉとして記憶部１５０に格納するための機能を提供する。
【０１２１】
運転パターンデータ１５０ｉは、空気調和機１００の運転モード及び各種設定、送風機３００の動作内容及び制御コード、登録日時、センサ群による測定値の各データを含む複数の運転パターンで構成される。
【０１２２】
運転制御プログラム１５０ａは、運転パターンデータ１５０ｉに含まれる運転パターンの中から、利用者により選択された運転パターンに基づいて空気調和機１００の動作を制御するための機能を提供する。送風機操作制御プログラム１５０ｃは、運転制御プログラム１５０ａと連携し、利用者により選択された運転パターンに基づいて送風機３００の動作を制御するための機能を提供する。
【０１２３】
制御部１６０は、運転パターン登録プログラム１５０ｈを実行することにより、運転パターンの登録処理を実行する。すなわち、制御部１６０は、空調機用遠隔操作装置２００から運転状態登録コマンドを受信すると、空気調和機１００の運転モード及び各種設定、送風機３００の動作内容及び制御コード、登録日時、センサ群１７０による測定値の各データを収集する。続いて、制御部１６０は、収集した各データで構成される運転パターンを記憶部１５０に格納する。また、制御部１６０は、運転制御プログラム１５０ａ及び送風機操作制御プログラム１５０ｃを実行することにより、運転パターンに基づく制御を実行する。すなわち、制御部１６０は、空調機用遠隔操作装置２００から運転パターンの呼出コマンドを受信すると、運転パターンデータ１５０ｉに含まれる各運転パターンを、登録日時及びセンサ群１７０の測定値に紐づけた情報として空調機用遠隔操作装置２００に送信する。続いて、制御部１６０は、運転パターンの選択及び選択した運転パターンによる運転指示コマンドを受け付けると、該当の運転パターンにより空気調和機１００及び送風機３００の運転を実行する。
【０１２４】
図２３は、実施の形態５に係る空調機用遠隔操作装置の機能構成例を示すブロック図である。図２３に示すように、記憶部２５０は、運転状態登録プログラム２５０ｆ及び運転パターン指示プログラム２５０ｇを記憶する。
【０１２５】
運転状態登録プログラム２５０ｆは、空気調和機１００及び送風機３００の動作状態に関する情報の登録を要求する運転状態登録コマンドを空気調和機１００に送信するための機能を提供する。運転パターン指示プログラム２５０ｇは、運転パターンによる運転指示コマンドを送信するための機能を提供する。
【０１２６】
制御部２６０は、運転状態登録プログラム２５０ｆを実行することにより、運転状態登録コマンドを送信する。制御部２６０は、運転パターン指示プログラム２５０ｇを実行することにより、運転指示コマンドを送信する。
【０１２７】
図２４は、実施の形態５に係る空調機用遠隔操作装置による運転状態登録コマンド送信処理の流れを示すフローチャートである。図２４に示す処理は、制御部２６０が、運転状態登録プログラム２５０ｆを実行することにより実現される。
【０１２８】
図２４に示すように、制御部２６０は、快適ボタン２３５の操作を受け付けたかを判定する（ステップＳ１１０１）。制御部２６０は、判定の結果、快適ボタン２３５の操作を受け付けていない場合には（ステップＳ１１０１，Ｎｏ）、ステップＳ１１０１の判定を繰り返す。
【０１２９】
一方、制御部２６０は、判定の結果、快適ボタン２３５の操作を受け付けた場合には（ステップＳ１１０１，Ｙｅｓ）、運転状態登録コマンドを空気調和機１００に送信して（ステップＳ１１０２）、図２４に示す処理を終了する。
【０１３０】
図２５は、実施の形態５に係る空気調和機による運転パターン登録処理の流れを示すフローチャートである。図２５に示す処理は、制御部１６０が、運転パターン登録プログラム１５０ｈを実行することにより実現される。
【０１３１】
図２５に示すように、制御部１６０は、運転状態登録コマンドを受信したかを判定する（ステップＳ１２０１）。制御部１６０は、判定の結果、運転状態登録コマンドを受信していない場合には（ステップＳ１２０１，Ｎｏ）、ステップＳ１２０１の判定を繰り返す。
【０１３２】
一方、制御部１６０は、判定の結果、運転状態登録コマンドを受信した場合には（ステップＳ１２０１，Ｙｅｓ）、運転状態に関するデータを収集する（ステップＳ１２０２）。具体的には、制御部１６０は、空気調和機１００の運転モード及び各種設定、送風機３００の動作内容及び制御コード、登録日時、センサ群１７０による測定値の各データを収集する。
【０１３３】
続いて、制御部１６０は、ステップＳ１２０２で収集したデータを運転パターンとして記憶部１５０に登録し（ステップＳ１２０３）、図２５に示す処理を終了する。
【０１３４】
図２６は、実施の形態５に係る運転パターンによる運転実行処理の流れを示す図である。図２６に示すように、空調機用遠隔操作装置２００は、呼出ボタン２３６の操作に応じて、呼出コマンドを空気調和機１００に送信する（ステップＳ１３０１）。
【０１３５】
空気調和機１００は、呼出コマンドの受信に応じて運転パターンを取得する（ステップＳ１３０２）。続いて、空気調和機１００は、ステップＳ１３０２で取得した運転パターンを空調機用遠隔操作装置２００に送信する（ステップＳ１３０３）。空気調和機１００は、運転パターンデータ１５０ｉに含まれる各運転パターンを、登録日時及びセンサ群１７０の測定値に紐づけた情報として送信する。すなわち、空気調和機１００は、運転パターンに紐づく登録日時、及びセンサ群１７０の測定値から想定される室内環境を、所望の運転パターンを選択するための手がかりとして、空調機用遠隔操作装置２００を携帯中の利用者に提供する。
【０１３６】
空調機用遠隔操作装置２００は、受信した運転パターンを表示部２４０に表示する（ステップＳ１３０４）。続いて、空調機用遠隔操作装置２００は、利用者による運転パターンの選択に応じて、選択された運転パターンによる運転指示コマンドを空気調和機１００に送信し（ステップＳ１３０５）、図２６に示す処理を終了する。
【０１３７】
空気調和機１００は、運転指示コマンドの受信に応じて、当該コマンドに対応する運転パターンにより運転を実行し（ステップＳ１３０６）、図２６に示す処理を終了する。
【０１３８】
実施の形態５によれば、空気調和機１００及び送風機３００の運転状態で利用者が快適と感じる運転状態を登録しておき、適宜呼び出して運転状態を再現できるので、利用者が快適と感じた実績に対応する運転を行うことができる。また、室温が均一化されるように空調を行う場合、温度の感じ方には個人差が大きいことから必ずしも快適な住環境が提供できているとは言い切れない面があるが、実施の形態５によれば利用者自身の実績によるものであるので、個人差による不都合を改善できる。
【０１３９】
また、実施の形態５では、運転パターンを空調機用遠隔操作装置２００の表示部２４０に運転パターンを表示させ、空調機用遠隔操作装置２００において運転パターンの選択を行う例を説明したが、この例には限定されず、空気調和機１００の表示部１４０に運転パターンを表示させて、空気調和機１００において運転パターンの選択を行ってもよい。また、実施の形態５では、空調機用遠隔操作装置２００から運転パターンの呼出コマンドを送信する例を説明したが、この例には限定されず、空気調和機１００に設けられる操作ボタン群（図示せず）に対する操作により、空気調和機１００において直接呼び出してもよい。
【０１４０】
実施の形態６．
実施の形態５において、利用者が設定するスケジュールに従って、運転パターンに対応する運転を実行してもよい。以下の実施の形態６では、この場合の空気調和機１００について説明する。
【０１４１】
図２７は、実施の形態６に係る空気調和機の機能構成例を示すブロック図である。図２７に示すように、記憶部１５０は、運転スケジュールデータ１５０ｊを記憶する。運転スケジュールデータ１５０ｊは、運転パターンの実行日時が予め設定される。運転制御プログラム１５０ａは、運転スケジュールデータ１５０ｊに設定される運転パターンの実行日時に合わせて、運転パターンデータ１５０ｉに含まれる運転パターンに基づく空気調和機の動作の制御を実行する。送風機操作制御プログラム１５０ｃは、運転制御プログラム１５０ａと連携し、実行日時に対応する運転パターンに基づいて送風機３００の動作を制御するための機能を提供する。
【０１４２】
制御部１６０は、運転制御プログラム１５０ａ及び送風機操作制御プログラム１５０ｃを実行することにより、運転スケジュールデータ１５０ｊに設定される運転パターンの実行日時に合わせて、運転パターンに基づく空気調和機１００及び送風機３００の動作の制御を実行する。
【０１４３】
図２８は、実施の形態６に係る空気調和機による処理の流れを示すフローチャートである。図２８に示す処理は、制御部１６０が、運転制御プログラム１５０ａ及び送風機操作制御プログラム１５０ｃを実行することにより実現される。
【０１４４】
図２８に示すように、制御部１６０は、運転スケジュールデータ１５０ｊに設定される運転パターンの実行日時に合わせたスケジュール運転の実行中であるかを判定する（ステップＳ１４０１）。
【０１４５】
制御部１６０は、判定の結果、スケジュール運転の実行中である場合には（ステップＳ１４０１，Ｙｅｓ）、運転パターンの変更時刻であるかを判定する（ステップＳ１４０２）。
【０１４６】
制御部１６０は、判定の結果、運転パターンの変更時刻ではない場合には（ステップＳ１４０２，Ｎｏ）、上記ステップＳ１４０１の処理手順に戻る。これとは反対に、制御部１６０は、判定の結果、運転パターンの変更時刻である場合には（ステップＳ１４０２，Ｙｅｓ）、現在の時刻に対応する運転パターンに基づいて、空気調和機１００及び送風機３００の運転状態を変更し（ステップＳ１４０３）、上記ステップＳ１４０１の処理手順に戻る。
【０１４７】
上記ステップＳ１４０１において、制御部１６０は、判定の結果、スケジュール運転の実行中でない場合には（ステップＳ１４０１，Ｎｏ）、図２８に示す処理を終了する。
【０１４８】
以上の実施の形態において説明した空気調和機１００、空調機用遠隔操作装置２００、及び送風機用遠隔操作装置４００に実装される各機能は、各機能に対応するプログラムをＣＰＵが読み込んで実行する場合に限られず、各機能を集積するシステムＬＳＩ（Ｌａｒｇｅ  Ｓｃａｌｅ  Ｉｎｔｅｇｒａｔｉｏｎ）などの多機能回路により実行されてもよい。また、各機能に対応する処理回路を複数連携させることにより、空気調和機１００、空調機用遠隔操作装置２００、及び送風機用遠隔操作装置４００による処理が実行されてもよい。
【０１４９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１５０】
１００  空気調和機、２００  空調機用遠隔操作装置、３００  送風機、４００  送風機用遠隔操作装置。
【図１】
2016147399.tif 000003
【図２】
2016147399.tif 000004
【図３】
2016147399.tif 000005
【図４】
2016147399.tif 000006
【図５】
2016147399.tif 000007
【図６】
2016147399.tif 000008
【図７】
2016147399.tif 000009
【図８】
2016147399.tif 000010
【図９】
2016147399.tif 000011
【図１０】
2016147399.tif 000012
【図１１】
2016147399.tif 000013
【図１２】
2016147399.tif 000014
【図１３】
2016147399.tif 000015
【図１４】
2016147399.tif 000016
【図１５】
2016147399.tif 000017
【図１６】
2016147399.tif 000018
【図１７】
2016147399.tif 000019
【図１８】
2016147399.tif 000020
【図１９】
2016147399.tif 000021
【図２０】
2016147399.tif 000022
【図２１】
2016147399.tif 000023
【図２２】
2016147399.tif 000024
【図２３】
2016147399.tif 000025
【図２４】
2016147399.tif 000026
【図２５】
2016147399.tif 000027
【図２６】
2016147399.tif 000028
【図２７】
2016147399.tif 000029
【図２８】
2016147399.tif 000030
【国際調査報告】
2016147399.tif 000031
2016147399.tif 000032
2016147399.tif 000033
2016147399.tif 000034